(57)【要約】【課題】  ２本の絶縁操作棒を使用するときにも、荷重負担を軽減し、良好な操作性を可能にする。【解決手段】    絶縁操作棒５を保持する補助具１０を備えた絶縁操作棒用補助具付き着衣１であって、前記補助具１０は、絶縁操作棒５の手元端部を支持するホルダ２０と、該ホルダ２０を着脱自在に保持するホルダ保持具３０とを備え、該ホルダ保持具３０を脇下からわき腹に対応した部位に設け、絶縁操作棒５を、ホルダ２０での保持部位、手で把持した把持部位、わき腹と肘との挟持部位の３点で支える。【選択図】  図３
2020028202.tif 000002
【特許請求の範囲】
【請求項１】
絶縁操作棒を保持する補助具を備えた絶縁操作棒用補助具付き着衣であって、
前記補助具は、絶縁操作棒の手元端部を支持するホルダと、該ホルダを着脱自在に保持するホルダ保持具とを備え、
該ホルダ保持具を脇下からわき腹に対応した部位に設けた、
ことを特徴とする絶縁操作棒用補助具付き着衣。
【請求項２】
前記ホルダは、前記絶縁操作棒が抜き差し可能な筒体から成るとともに、外周面に摺動ピンが突設されており、
前記ホルダ保持具には、一又は複数の溝が設けられていて、前記ホルダの摺動ピンが前記溝に摺動自在に嵌合可能となっている、
ことを特徴とする請求項１に記載の絶縁操作棒用補助具付き着衣。
【請求項３】
前記ホルダは、前記絶縁操作棒に巻回可能な帯体と、該帯体に設けられた引掛け具とから成り、
前記ホルダ保持具は、リング状部材から成り、
前記ホルダの引掛け具が前記ホルダ保持具に取付可能となっている、
ことを特徴とする請求項１に記載の絶縁操作棒用補助具付き着衣。 
【発明の詳細な説明】
【技術分野】
【０００１】
この発明は、作業内容に応じた間接活線工具が選択的に取り付けられる絶縁操作棒の操作を補助する絶縁操作棒用補助具付き着衣に関する。
【背景技術】
【０００２】
従来から、電力ケーブル等の活線に対する作業において、作業に応じた先端工具を取り付けた絶縁操作棒を操作することで、作業者が活線から離れた位置で適宜作業を行う間接活線工法を採用し、作業者に対する感電災害の発生の防止が図られている。
【０００３】
ところで、作業者が活線に対する作業を行う際、作業者は絶縁操作棒を手に持ってその先端に取り付けた先端工具を操作することになるが、この作業は、絶縁操作棒が比較的長尺でかつ重いため、作業者にとって荷重負担が大きいという問題がある。
【０００４】
そこで、例えば、特許文献１に示す絶縁操作棒用支持具があり、この絶縁操作棒用支持具は、作業用ベスト（支持具１）の胴部前面（胴前体１０）にポケット（支持部１０１）を設け、該ポケットに絶縁操作棒の手元端部を挿入して、このポケットで絶縁操作棒の重量の一部を補助して荷重負担を軽減しようとするものである。
【先行技術文献】
【特許文献】
【０００５】
【特許文献１】特開２００９−５４９６号公報
【発明の概要】
【発明が解決しようとする課題】
【０００６】
上記の特許文献１に記載の絶縁操作棒用支持具では、作業者の胴体の前部に複数のポケットが設けられており、通常１本の絶縁操作棒を１つのポケットに挿入して両手で絶縁操作棒を支えつつ操作する。
【０００７】
そして、絶縁操作棒の先端工具を所望の位置に動かすときにはポケット内に挿入した手元端部を支点として移動させることになるが、両手で絶縁操作棒を操作しているときは安定する。これは、絶縁操作棒をポケットに因る支持点と左右の手で把持した把持点の計３点で支えているため、安定した操作が可能になる。
【０００８】
ところが、間接活線作業の内容によっては２本の絶縁操作棒を使う場合があり、上記絶縁操作棒用支持具を用いて、２本の絶縁操作棒を操作しようとすると、１つのポケットに２本の絶縁操作棒を挿入し、一方の手で１本の絶縁操作棒を、他方の手でもう１本の絶縁操作棒を把持することになる。
【０００９】
このとき、絶縁操作棒は２点（ポケットと把持部との２点）でしか支えることはできず、長尺で重量のある絶縁操作棒の先端を細かく操作するにはかなりの熟練が必要である。
【００１０】
しかも、２本の絶縁操作棒を１つのポケットに挿入した状態は、２つの絶縁操作棒が手元端部で接触している状態であり、一方の絶縁操作棒を動かしたときに、他方の絶縁操作棒も動いてしまうなどして、先端工具の細かな操作を行うことはできない。
【００１１】
さらに、絶縁操作棒をその軸方向即ち長さ方向に移動させたいときは、絶縁操作棒をポケットから抜く方向への移動となるため、ポケットに因る支えがなくなってしまい、荷重負担の軽減を目的とした当初の目的を果たすことはできない。
【００１２】
結局、上記特許文献１に記載の絶縁操作棒用支持具では、２本の絶縁操作棒を操作することは極めて困難であるという問題がある。
【００１３】
そこでこの発明は、絶縁操作棒の荷重負担の軽減を図りつつ、絶縁操作棒を３点で支えることを可能とし、２本の絶縁操作棒であっても互いに影響されずに各別な操作を可能とする絶縁操作棒用補助具付き着衣を提供することを目的とする。
【課題を解決するための手段】
【００１４】
上記課題を解決するために、請求項１の発明は、絶縁操作棒を保持する補助具を備えた絶縁操作棒用補助具付き着衣であって、前記補助具は、絶縁操作棒の手元端部を支持するホルダと、該ホルダを着脱自在に保持するホルダ保持具とを備え、該ホルダ保持具を脇下からわき腹に対応した部位に設けた、ことを特徴とする。
【００１５】
この発明によれば、絶縁操作棒の手元端部をホルダで支持し、手で把持し、わき腹と肘とで挟持して、絶縁操作棒を補助する。
【００１６】
請求項２の発明は、請求項１に記載の絶縁操作棒用補助具付き着衣において、前記ホルダは、前記絶縁操作棒が抜き差し可能な筒体から成るとともに、外周面に摺動ピンが突設されており、前記ホルダ保持具には、一又は複数の溝が設けられていて、前記ホルダの摺動ピンが前記溝に摺動自在に嵌合可能となっている、ことを特徴とする。
【００１７】
請求項３の発明は、請求項１に記載の絶縁操作棒用補助具付き着衣において、前記ホルダは、前記絶縁操作棒に巻回可能な帯体と、該帯体に設けられた引掛け具とから成り、前記ホルダ保持具は、リング状部材から成り、前記ホルダの引掛け具が前記ホルダ保持具に取付可能となっている、ことを特徴とする。
【発明の効果】
【００１８】
請求項１の発明によれば、絶縁操作棒の一部を保持するホルダを有するので、長尺で重量のある絶縁操作棒の荷重負担を軽減することができるとともに、絶縁操作棒を保持する補助具を脇下からわき腹に対応した部位に設けたので、絶縁操作棒を、ホルダでの保持部位、手で把持した把持部位、わき腹と肘との挟持部位の３点で支えることができ、片手で安定した保持を可能とし、よって、両手、すなわち、同時に２本の絶縁操作棒の操作を可能とする。
【００１９】
請求項２の発明によれば、絶縁操作棒を支えるホルダを、絶縁操作棒が抜き差し可能な筒体にしたので、絶縁操作棒の長さ方向に移動させても筒体から抜けない範囲で、絶縁操作棒を支えることができる。また、ホルダ保持具に一又は複数の溝を形成し、該溝に摺動自在に嵌合する摺動ピンを設けたので、作業者は溝を選択的に選ぶことにより、作業の効率化を図ることができる。
【００２０】
請求項３の発明によれば、絶縁操作棒に巻回して係止できる帯体に設けた引掛け具を、ホルダ保持具のリング状部材に着脱自在に取付けるようにしたので、簡単な構造で、絶縁操作棒を３点で支えることができる。
【図面の簡単な説明】
【００２１】
【図１】図２および図３と共にこの発明の実施の形態１に係る絶縁操作棒用補助具付き着衣を示すもので、図１はホルダをホルダ保持具から外した状態を示す斜視図である。
【図２】ホルダをホルダ保持具に取り付けた状態を示す斜視図である。
【図３】左右の補助具に絶縁操作棒を保持した状態で作業を行っている様子を示す斜視図である。
【図４】実施の形態２に係る絶縁操作棒用補助具付き着衣を示すもので、ホルダをホルダ保持具から外した状態を示す斜視図である。
【図５】上記実施の形態２におけるホルダの変形例を示す斜視図であり、（ａ）図は第１の変形例を、（ｂ）図は第２の変形例を示すものである。
【図６】実施の形態３に係る絶縁操作棒用補助具付き着衣を示すもので、作業員が絶縁操作棒用補助具付き着衣を着用した状態の正面図である。
【図７】実施の形態４に係る絶縁操作棒用補助具付き着衣を示すもので、ホルダをホルダ保持具から外した状態を示す斜視図である。
【発明を実施するための形態】
【００２２】
以下、この発明を図示の実施の形態に基づいて説明する。
【００２３】
（実施の形態１）
図１乃至図３は、この実施の形態１に係る絶縁操作棒用補助具付き着衣１を示すもので、図１はホルダをホルダ保持具から外した状態を示す斜視図、図２はホルダをホルダ保持具に取り付けた状態を示す斜視図、図３は左右の補助具に絶縁操作棒を保持させた状態で作業を行っている様子を示す斜視図である。
【００２４】
この実施の形態１にかかる絶縁操作棒用補助具付き着衣１はいわゆるチョッキ型の着衣で、その左右わき腹１Ｒ、１Ｌに絶縁操作棒５を支える補助部１０が設けられている。図１及び図２は左側の補助部１０のみを示す、
【００２５】
補助具１０は絶縁操作棒５の手元端部が挿入される筒体をしたホルダ２０と、該ホルダ２０を摺動自在に保持するホルダ保持具３０とからなる。
【００２６】
ホルダ２０は一方の端部が有底になっており、絶縁操作棒５を挿入したときに、抜け落ちないようになっている。
【００２７】
ホルダ２０の開口周縁近傍の外周面には、摺動ピン２１が突設され、その先端部に摺動ピン２１より大径な円盤状のストッパ２２が形成されている。
【００２８】
ホルダ保持具３０は、比較的硬質な合成樹脂製の板部材に溝３１が形成されていて、このようなホルダ保持具３０は上記着衣１の脇下からわき腹に対応した部位に縫合などの手段により取り付けられている。
【００２９】
ホルダ保持具３０の溝３１は、前寄りの位置で縦方向に延びる移動溝３１ａと該移動溝３１ａの適宜な位置から斜め後方に向かって延びる支え溝３１ｂ、３１ｂ、…とで構成されている。
【００３０】
移動溝３１ａの上端部には溝３１よりやや大径な孔３２が形成され、この孔３２は前記摺動ピン２１の先端のストッパ２２が挿入できる大きさに形成されており、以下、挿入孔３２と称する。
【００３１】
そして、絶縁操作棒５の補助具１０による保持は以下のようにして行う。
【００３２】
先ず、作業者は、ホルダ２０の摺動ピン２１のストッパ２２をホルダ保持具３０の移動溝３１ａの上端の挿入孔３２から挿入し、その摺動ピン２１を溝３１内に嵌合する。これにより補助具１０が構成される。この状態では、ストッパ２２が溝３１よりも大きいため、ホルダ２０がホルダ保持具３０から離脱することはない。
【００３３】
次に、ホルダ２０を溝３１に沿って移動させ、どの支え溝３１ｂに位置させたときに作業がやりやすいかを判断して決定する。このとき、移動溝３１ａに摺動ピン２１が位置するときは上下方向への移動を可能とし、摺動ピン２１が支え溝３１ｂに位置するときは、上下方向への移動が阻止されるためホルダ２０、すなわち絶縁操作棒５を支えた状態であり、絶縁操作棒５の作業を可能にする。
【００３４】
そこで、作業者は複数ある支え溝３１ｂ、３１ｂ、…のどこにホルダ２０を位置させたときの絶縁操作棒５の作業をしやすいかを判断し、この位置にしたホルダ２０に絶縁操作棒５を挿入する。なお、絶縁操作棒５を挿入した後であっても、ホルダ２０の移動は可能である。
【００３５】
以上のようにして、絶縁操作棒５のポジションを決定した後、作業者は、ホルダ２０に挿入した絶縁操作棒５を一方の手で把持し、また、肘でわき腹との間に絶縁操作棒５を挟むようにすることで、上述の３点で絶縁操作棒５を支えることになる。すなわち、ホルダ２０での保持部位、手で把持した把持部位、わき腹と肘との挟持部位の３点で支えることができ、片手で安定した絶縁操作棒５の操作を可能とする（図３参照）。
【００３６】
絶縁操作棒５の動きとしては、ホルダ２０の摺動ピン２１を中心とした回動方向のほか、ホルダ２０は筒体であること、及びホルダ２０自体も摺動ピン２１が横方向に長い支え溝３１ｂに嵌合していることにより、絶縁操作棒５の長さ方向への移動も可能となっており、細やかな操作を可能にする。
【００３７】
（実施の形態２）
図４は、この実施の形態２に係る絶縁操作棒用補助具付き着衣の補助具１０Ａを示すもので、ホルダ２０Ａとホルダ保持具３０Ａを外した状態を示す斜視図である。
【００３８】
ホルダ２０Ａは上記実施の形態１におけるホルダ２０とほぼ同じ形状をしているが、摺動ピン２１の先端部のストッパ２２Ａが形状が相違する。
【００３９】
ホルダ２０Ａのストッパ２２Ａは摺動ピン２１とほぼ同じ幅で小判状に形成され、ストッパ２２Ａは長手方向は筒体としてホルダ２０Ａの長さ方向と一致している。
【００４０】
また、ホルダ保持具３０Ａは、縦長な矩形状をした板部材で、上下方向に長い複数の長孔３２、３２、…が形成されている。
【００４１】
上記ホルダ２０Ａの小判状をしたストッパ２２Ａはホルダ保持具３０Ａの長孔３２より一回り小さな大きさに形成されている。
【００４２】
しかして、ホルダ２０Ａは、そのストッパ２２Ａが上下方向に長くなる向き、すなわち、ホルダ２０Ａを立てた状態で、上記ホルダ保持具３０Ａの長孔３２に挿入する。
【００４３】
ストッパ２２Ａを長孔３２に挿入したホルダ２０Ａはホルダ保持具３０Ａに対して向きを変える、すなわち、回転させることで小判状のストッパ２２Ａが長孔３２から抜けることはなく、よって、ホルダ２０Ａがホルダ保持具３０Ａから離脱することはない。
【００４４】
そして、この実施の形態２における補助具１０Ａにあっても、上記実施の形態１における補助具１０と同様に、絶縁操作棒５を３点で支えることができる。
【００４５】
図５（ａ）（ｂ）は、上記実施の形態２におけるホルダ２０Ａの変形例２４、２７を示すもので、筒体の外周面の一部が長手方向に切り欠かれ開口部が形成されたものである。（ａ）と（ｂ）との相違は、長手方向に切り欠いた開口部と摺動ピン２５、２８との位置関係が相違する。
【００４６】
具体的には図５（ａ）に示すホルダ２４は筒体の周方向におけるほぼ６分の１が長手方向に延びる開口部２４ａとして形成され、かつ、その対向する両側縁から互い離れる方向に伸びる引込片２４ｂ、２４ｂが一体に形成されている。
【００４７】
そして、ホルダ２４の外周面であって長手方向の端縁近傍で上記開口部２４ａから周方向にほぼ９０°ずれた位置に摺動ピン２５が突設され、また、該摺動ピン２５の先端に小判状のストッパ２６が形成されている。
【００４８】
このようなホルダ２４は実施の形態２における上述のホルダ保持具３０Ａに保持される。
【００４９】
そして、ホルダ２４で絶縁操作棒５を保持する場合には、上記開口部２４ａに絶縁操作棒５の適宜な部分（操作性を考慮した上で）を押し当て、開口部２４ａを開いてホルダ２４内に押し込む。
【００５０】
このように、絶縁操作棒５を持った後、短め、あるいは長めに持ち替えたいときに、素早く保持する位置を変更することができる。
【００５１】
図５（ｂ）に示すホルダ２７は、その摺動ピン２８を上記変形例におけるホルダ２４の摺動ピン２５をさらに周方向に９０°ずらした位置にしたものである。
【００５２】
従って、上記変形例におけるホルダ２４がホルダ保持具３０Ａに保持した状態で上記開口部２４ａが上方に開口しているのに対して、この変形例おけるホルダ２７にあっては鉾方向に開口している。
【００５３】
これら変形例におけるホルダ２４、２７によれば、絶縁操作棒５の長さ方向のどの位置でも容易にホルダ２４、２７に保持させることができる。
【００５４】
（実施の形態１の変形例）
図６は、上記実施の形態１に係る絶縁操作棒用補助具付き着衣１の変形例１Ａを示す。
【００５５】
上記実施の形態１における絶縁操作棒用補助具付き着衣１は、チョッキ型の着衣に適用したが、この変形例１Ａは、肩に掛ける部位、肩から吊下げ部位、吊下げ部位を繋ぐ胴周り部位から成る帯材で構成されたベスト型に適用したものである。
【００５６】
このベスト型の着衣１Ａにおいては、上記胴周りの部位の脇下部分に上記ホルダ保持具３０、３０を設け、このホルダ保持具３０にホルダ２０、２０を取り付けるようにしたものである。
【００５７】
このような帯材から構成したベスト型の着衣１Ａにすることにより、上半身に羽織るようなもので無いため、夏季など気温の高い時期においても用いることができる。
【００５８】
（実施の形態３）
図７は、この実施の形態３に係る絶縁操作棒用補助具付き着衣２を示す斜視図である。
【００５９】
実施の形態３における補助具４０は、着衣２の脇下からわき腹にかけて上下方向に複数設けられたリング状部材からなるホルダ保持具５０と、絶縁操作棒５を直接巻回しかつ係止することができ、前記ホルダ保持具５０に着脱自在に取り付けられるホルダ６０とからなる。  ホルダ保持具５０は、例えば、紐体をリング状にしたものを着衣２の上記箇所に縫合などにより設けられている。
【００６０】
ホルダ６０は、絶縁操作棒５を直接巻回しかつ係止することができる帯体６２と該帯体６２に取り付けられた引掛け具６１とからなる。
【００６１】
帯体６２は、バンド状で一端に面ファスナを備え、絶縁操作棒５を巻回したときに、その巻回状態を係止することができるようになっている。なお、帯体６２はゴム様な材質で構成し、巻回した状態をある程度保持して位置ずれを起こさないようにするとなおよい。
【００６２】
ホルダ６０の引掛け具６１は、リング状で一部がバネ様になっていて、上記リング状のホルダ保持具５０に着脱自在に取付可能になっている。
【００６３】
このような実施の形態３に係る絶縁操作棒用補助具付き着衣２にあっては、絶縁操作棒５の適宜な箇所、すなわち、作業者が最も作業がしやすい位置に、上記ホルダ６０の帯体６２を巻回し係止し、適宜な位置のホルダ保持具５０に引掛け具６１を取り付ける。
【００６４】
このような実施の形態３に係る絶縁操作棒用補助具付き着衣２であっても絶縁操作棒５を脇下に位置した状態で保持することができるため上述のように３点で支えることができ、片手での操作を可能にする。
【００６５】
以上、この発明の各実施の形態について説明したが、具体的な構成は、上記の実施の形態に限られるものではなく、この発明の要旨を逸脱しない範囲の設計の変更等があっても、この発明に含まれる。例えば、上記の実施の形態１では、着衣１をチョッキ型としてが半そでや長そでのような作業着に補助具１０を設けるようにしても良い。
【符号の説明】
【００６６】
１      絶縁操作棒用補助具付き着衣
５      絶縁操作棒
１０    補助具
２０    ホルダ
２１    摺動ピン
３０    ホルダ保持具
３１    溝
１Ａ    絶縁操作棒用補助具付き着衣
１０Ａ  補助具
２０Ａ  ホルダ
３０Ａ  ホルダ保持具
３２    挿入孔
２      絶縁操作棒用補助具付き着衣
４０    補助具
５０    ホルダ保持具
６０    ホルダ
６１    引掛け具
６２    帯体
【図１】
2020028202.tif 000003
【図２】
2020028202.tif 000004
【図３】
2020028202.tif 000005
【図４】
2020028202.tif 000006
【図５】
2020028202.tif 000007
【図６】
2020028202.tif 000008
【図７】
2020028202.tif 000009